(57)【要約】      （修正有）【課題】  火力発電所等から排出される二酸化炭素を削減出来る二酸化炭素除去装置を提供する。【解決手段】  火力発電所等から排出される煙りを、吸引ポンプ１によりスクリーン２に送った後、圧縮ポンプ３により気ー気分離タンク４内の分離膜を通過させ、通過した混合ガスは二酸化炭素貯留タンク５に貯えられた後、定量送風ポンプ７により二酸化炭素除去槽８内に設けた散気管１５へ、一方で、水酸化カルシウムスラリータンク９とその溶解促進剤タンク１０から定量ポンプ１２によって、各溶液が混和槽１１に送られ石灰水を生成し、この石灰水は定量ポンプ１２によって除去槽８に送り、上記の散気管から発生する混合ガスの気泡と接触攪拌混合させることで二酸化炭素の除去が出来る。【選択図】    図１
2006320879.tif 000002
【特許請求の範囲】
【請求項１】
火力発電所等から排出される排煙を気ー気分離タンクに移送する手段と、このタンク内で多層化分離膜により二酸化炭素濃度を高める手段と、これらの気体を貯留するタンクを有し、それに続く二酸化炭素除去手段と、生成される沈殿物を固液分離する手段と、沈降分離後の排泥を脱水する手段と、脱水後のケーキを乾燥する手段を構成する二酸化炭素除去装置。
【請求項２】
上記の排煙を煙突の数箇所より吸引するポンプと、排煙中の炭、ほこり等を除去するスクリーンと、前記の排煙を気ー気分離タンク内に移送する圧縮ポンプと、このタンク内に二酸化炭素の濃度を高める分離膜として天然ゴム、エチルセルロース、ポリ２・６ージメチルフェニレンオキシド膜のいずれかと、それらの組み合わせから成る多層化分離膜を有し、これらの分離膜を通過後に安全弁と窒素、酸素ガスの放出口を備えた二酸化炭素貯留タンクと、この貯留タンクから混合ガスを定量送風ポンプにより二酸化炭素除去槽の下部に設けた散気管に移送し、この除去槽には、水酸化カルシウムのスラリーと、このスラリーの溶解促進剤として、アルカリ塩、特に塩化アンモニウム水溶液、ショ糖、グリセリン溶液のいずれかと、それらの混合溶液から成る水溶液とを定量ポンプにより混和槽内に送り石灰水を生成させることと、この石灰水を定量ポンプで二酸化炭素除去槽内に送り、この槽内で石灰水と前記の散気管から発生する混合ガスの気泡とを接触攪拌混合させることで炭酸カルシウムが生成され、二酸化炭素の除去が図れることと、この生成された炭酸カルシウムの懸濁液を処理する凝集沈殿装置と、これにより発生する排泥を脱水する遠心分離機と、脱水後に生じるケーキを粉末化する乾燥機とを備えたことを特徴とする請求項１記載の二酸化炭素除去装置。
【発明の詳細な説明】
【技術分野】
【０００１】  本発明は、火力発電所等から排出される二酸化炭素の除去に関する。［背景技術］【０００２】  火力発電所等から排出される二酸化炭素の除去方法として、二酸化炭素ガスをアルカリ性の水溶液に溶かし加熱後、地下約１２００ｍの石炭層への吸着、各種の吸着剤に通気して行うもの等、いろいろな技術があるが、立地条件、コスト面等で思うように普及していないと言うのが現状の様である。［発明の開示］［発明が解決しようとする課題］【０００３】  本発明は、火力発電所から排出される排煙中の二酸化炭素濃度が約９％の混合ガスを石灰水と接触攪拌混合させて炭酸カルシウムの粉末にする技術で、これまでに、この様な例はなかった。［課題を解決するための手段］【０００４】  上記の問題を解決するために、本発明の請求項１記載の二酸化炭素除去装置は、火力発電所等から排出される排煙を気ー気分離タンクに移送する手段と、このタンク内の多層化された分離膜で二酸化炭素濃度を高める手段と、これらの混合ガスを貯留するタンクと、これに続く二酸化炭素除去手段と、これによって生成する沈殿物を固液分離する手段と、沈降分離された排泥を脱水する手段と、脱水後のケーキを乾燥する手段とを構成したものである。【０００５】  本発明の請求項２記載の二酸化炭素除去装置は、上記の構成において、火力発電所等の煙突の数箇所から排煙を吸引するポンプを有し、それに続き排煙中に含む炭、ほこり等を除去するスクリーンは、目の細かい金網で出来ており、目の閉塞に応じて新スクリーンに交換する。【０００６】  スクリーンニングされた排煙は、圧縮ポンプにより気ー気分離タンクにおくられる。このタンク内には、二酸化炭素の濃度を高める分離膜として、天然ゴム、エチルセルロース、ポリ２・６ージメチルフェニレンオキシド膜のいずれかと、これらの組み合わせから成る多層化した分離膜を備えている。【０００７】  分離膜通過後の混合ガスは、安全弁と窒素、酸素ガスの放出口を備えた球形の貯留タンクに送り込まれる。このタンク内で気体の密度差の違いにより、さらに二酸化炭素の濃度がたかめられる。【０００８】  貯留タンク内の混合ガスは、定量送風ポンプにより二酸化炭素除去槽内に設けた数十ｍの散気管内に送りこまれ、微細な気泡となり槽内をゆっくりと上昇する。【０００９】  一方では、水酸化カルシウムのスラリータンクからと、水酸化カルシウム溶解促進剤として、アルカリ塩、特に塩化アンモニウム水溶液、ショ糖液、グリセリン液のいずれかと、これらの混合水溶液で満たされたタンクから前記のスラリーとその促進液がそれぞれ定量ポンプにより混和槽に送られ攪拌されて石灰水が生成される。【００１０】  この生成された石灰水は、定量ポンプにより二酸化炭素除去槽に送られ、前記の散気管から生じる混合ガスの微細な気泡と接触攪拌混合されて炭酸カルシウムの懸濁液が生成され、その結果として二酸化炭素の除去が行われる。【００１１】  上記の二酸化炭素除去槽内で生成された炭酸カルシウムの懸濁液は、その後に続く凝集沈殿装置により固液分離され、排泥は、遠心脱水機により脱水される。脱水後のケーキは、乾燥機により粉末化される。［発明の効果］【００１２】  火力発電所等から発生する二酸化炭素の除去が行われ、地球の温暖化の原因と考えられている温室効果ガスの排出削減が出来、京都議定書に基ずく二酸化炭素の排出削減にいくらかか貢献できる。［発明を実施するための最良の形態］【００１３】  本発明の実施形態を図１を参照しながら説明する。【００１４】  火力発電所等から排出される煙りを吸引ポンプ１によりスクリーン２に送られ、排煙中の炭、ほこり等が除去される。このスクリーンは、目の細かい金網で出来ており、目が閉塞後、直ちに新スクリーンに取り換えられる。【００１５】  上記で処理された混合ガスは、圧縮ポンプ３により気ー気分離タンク４に送りこまれる。この分離タンク内には、分離膜として天然ゴム、エチルセルロース、ポリ２・６ージメチルフェニレンオキシド膜のいずれかと、それらの組み合わせから成り多層になっている。【００１６】  この分離膜を通過後に二酸化炭素の濃度が高められた混合ガスは、二酸化炭素貯留タンク５に送られ、ここで安全弁と窒素、酸素放出口６により、混合ガス中の酸素と窒素が密度の違いによって放散され、さらに二酸化炭素濃度の高い混合ガスとなる。【００１７】  この混合ガスは、定量送風ポンプ７により二酸化炭素除去槽８内にある散気管１５に送られ微細な気泡として槽内をゆっくりと上昇する。【００１８】  一方、水酸化カルシウムスラリータンク１３と水酸化カルシウム溶解促進剤タンク１０からは、定量ポンプ１２により、水酸化カルシウムスラリーとその溶解促進剤のアルカリ塩、特に塩化アンモニウム水溶液、ショ糖液、グリセリン液のいずれかと、これらの混合液から成る水溶液とが適当量、混和槽１１に送られ攪拌機１３で十分攪拌混合され石灰水が生成される。【００１９】  この生成された石灰水は、定量ポンプ１２により、二酸化炭素除去槽８に送られ上記の散気管１５から発生する混合ガスの微細な気泡と攪拌機１４により気液接触混合されて炭酸カルシウム懸濁液が生成される。この結果として、二酸化炭素の除去が出来る。【００２０】  上記で生成された炭酸カルシウム懸濁液は、その後に続く凝集沈殿装置、遠心分離機、乾燥機を備えた排水処理施設により粉末化される。［産業上の利用可能性］【００２１】  本発明の二酸化炭素除去装置は、火力発電所以外の化石燃料を使用する産業等にも適用可能である。また、この装置によって生成される炭酸カルシウムを主成分とする粉末は、工業的にはセメントや酸化カルシウムの製造、製鉄建材、石灰乳などに利用可能である。
【図面の簡単な説明】
【００２２】
【図１】二酸化炭素除去装置のフローチャートである。
【符号の説明】
【００２３】  １吸引ポンプ２スクリーン３圧縮ポンプ４気ー気分離タンク５二酸化炭素貯留タンク６安全弁と窒素、酸素放出口７定量送風ポンプ８二酸化炭素除去槽９水酸化カルシウムスラリータンク１０水酸化カルシウム溶解促進剤タンク１１混和槽１２定量ポンプ１３攪拌機１４攪拌機１５散気管
【図１】
2006320879.tif 000003
【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
火力発電所等から排出される排煙を煙突の数箇所より吸引するポンプと、排煙中の炭、ほこり等を除去するスクリーンと、前記の排煙を気ー気分離タンク内に移送する圧縮ポンプと、このタンク内に二酸化炭素の濃度を高める手段の分離膜として、天然ゴム、エチルセルロース、ポリ２・６ージメチルフェニレンオキシド膜のいずれかと、それらの組み合わせから成る多層化分離膜を有し、これらの分離膜を通過後に安全弁と窒素、酸素の放出口を備えた二酸化炭素貯留タンクと、この貯留タンクから混合ガスを定量送風ポンプにより二酸化炭素除去槽の下部に設けた散気管に移送し、その一方で、水酸化カルシウムのスラリーと、このスラリーの溶解促進剤として、アルカリ塩、塩化アンモニウム水溶液、ショ糖液、グリセリン溶液のいずれかと、それらの混合溶液から成る水溶液とを定量ポンプにより混和槽内に送り石灰水を生成させることと、この石灰水を定量ポンプで二酸化炭素除去槽内に送り、この槽内で石灰水と前記の散気管から発生する混合ガスの気泡とを接触攪拌混合させることで炭酸カルシウムが生成され、二酸化炭素の除去が図れる手段と、この生成された炭酸カルシウムの懸濁液を固液分離する手段の凝集沈殿装置と、この時、発生する排泥を脱水する手段の遠心分離機と、脱水後に生じるケーキを粉末化する手段の乾燥機とを備えたことを特徴とする二酸化炭素除去装置。